(57)【特許請求の範囲】
【請求項１】
予め設定された水平上限周波数範囲内の信号を表示するディスプレイ装置であって、前記ディスプレイ装置が、
入力された画像データの水平同期信号の波高値及び極性を補正する信号回路と、
この信号回路で補正された水平同期信号を予め設定された上限周波数のパラメータに基づいて判別し、この信号回路で補正された水平同期信号が前記水平上限周波数範囲内か否かを判別し、前記水平上限周波数範囲外である場合は、この補正された水平同期信号の周波数を引き込み範囲内になるように１／２、１／３、１／４倍というように変換を行い出力するＣＰＵと、
このＣＰＵで周波数変換された水平同期信号が出力された時に、この水平同期信号を選択し、上記ＣＰＵから水平同期信号が出力されない時に、上記信号回路からの水平同期信号を選択する切替回路と、
この切替回路からの出力信号によって上記画像データを水平偏向する水平偏向回路と、
この水平偏向回路で水平偏向された上記画像データを表示するＣＲＴとで構成されることにより、前記水平上限周波数範囲外の信号が入力された場合においても前記水平上限周波数範囲内の信号として表示することを特徴とするディスプレイ装置。
【請求項２】
上記水平同期信号が前記水平上限周波数範囲外である時に、上記ＣＰＵから出力される遮断信号によって上記ＣＲＴに表示される多重映像を消去する映像回路で構成されることを特徴とする請求項１記載のディスプレイ装置。
【発明の詳細な説明】
【０００１】
【発明の属する技術分野】
本発明は、ディスプレイ装置に係り、特に、水平上限周波数範囲外の信号受信時の対応手段を設けたディスプレイ装置に関する。
【０００２】
【従来の技術】
従来のディスプレイ装置は、図２に示すように、入力された水平同期信号１１を使用可能な水平同期信号に処理する信号回路２と、周波数計測を行い、その結果を周波数情報信号１３１に変換して出力するＣＰＵ１０３と，水平同期信号２１と周波数情報信号１３１から水平偏向を行う水平偏向回路５と、画像データ１２を反転増幅させる機能を有する映像回路１０６を備える。
【０００３】
入力された水平同期信号１１は、信号回路２に入力される。信号回路２で同期分離、波高値補正、極性補正、等の処理を行った水平同期信号１１はＣＰＵ１０３および水平偏向回路５に入力される。ここで周波数範囲外の水平同期信号１１の入力があった場合、余計な負荷がかかり回路破壊を防ぐために、ＣＰＵ１０３は水平フリーラン周波数相当の周波数情報信号１３１を水平偏向回路５に出力し、その結果、水平偏向回路５は水平フリーラン周波数で動作する。画像データ１２は入力水平同期信号１１と同じ周波数で、水平偏向回路５内の動作周波数とは異なるため同期がとれない結果、認識可能な映像を表示することはできない。
【０００４】
【発明が解決しようとする課題】
しかしユーザーが入力同期信号の周波数の変更を行おうとしても認識可能な映像を表示できないために周波数変更プログラムの操作がやりにくく、入力同期信号の変更が非常に難しいという課題があった。
【０００５】
そこで、本発明の目的は、水平上限周波数範囲外の入力があった場合に入力同期信号の変更可能な画面を安価で表示するディスプレイ装置を提供することにある。
【０００６】
【課題を解決するための手段】
上述の課題を解決するために、本発明のディスプレイ装置は、入力された画像データの水平同期信号の波高値及び極性を補正する信号回路と、この信号回路で補正された水平同期信号が上限周波数範囲内か否かを判別し、この上限周波数範囲外である場合は、この補正された水平同期信号の周波数を引き込み範囲内となる変換を行い出力するＣＰＵと、このＣＰＵで周波数変換された水平同期信号が出力された時に、この水平同期信号を選択し、上記ＣＰＵから水平同期信号が出力されない時に、上記信号回路からの水平同期信号を選択する切替回路と、この切替回路からの出力信号によって上記画像データを水平偏向する水平偏向回路と、この水平偏向回路で水平偏向された上記画像データを表示するＣＲＴとで構成されたことを特徴とする。
【０００７】
また、上述の課題を解決するために、本発明のディスプレイ装置は、上記水平同期信号が上限周波数範囲外である時に、上記ＣＰＵから出力される遮断信号によって上記ＣＲＴに表示される多重映像を消去する映像回路で構成されることを特徴とする。
【０００８】
【発明の実施の形態】
次に、本発明の一実施の形態によるディスプレイ装置を図面を参照して説明する。
【０００９】
図１は、本発明の一実施の形態によるディスプレイ装置のブロック構成図である。
【００１０】
本発明の一実施の形態によるディスプレイ装置は、図１に示すように、使用可能な水平同期信号に処理する信号回路２と、周波数計測を行い、その結果を周波数情報信号３２に変換して出力し、ならびに周波数変換を行うＣＰＵ３と，信号回路２からの水平同期信号２１またはＣＰＵ３で周波数変換された水平同期信号３１のどちらが有効かを判定し、その結果、有効な水平同期信号４１を出力する機能を有する切替回路４と、水平同期信号４１と周波数情報信号３２から水平偏向を行う水平偏向回路５と、画像データ１２を反転増幅させ、ならびに遮断信号３３により映像を遮断する機能を有する映像回路６とで構成される。
【００１１】
次に、本発明の一実施の形態によるディスプレイ装置の動作を図面を参照して説明する。
【００１２】
本発明の一実施の形態によるディスプレイ装置の動作は、図１に示すように、入力された水平同期信号１１は信号回路２に入力される。信号回路２で同期分離、波高値補正、極性補正、等の処理を行った水平同期信号２１はＣＰＵ３ならびに切替回路４に入力される。ＣＰＵ３は水平同期信号２１が上限周波数範囲内か否かを判別し、上限周波数範囲外である場合は入力水平同期信号２１の周波数を引き込み範囲内になるように１／２、１／３、１／４倍というように変換し、切替回路４に出力する。図３で入力水平同期信号２１の周波数を１／２倍とした場合について示す。ＣＰＵ３は入力水平同期信号２１の２周期毎に１つのパルスを出力し、これが周波数変換された水平同期信号３１となる。このようにＣＰＵ３で周波数変換された水平同期信号３１は入力水平同期信号２１に対しの１周期の時間が２倍となり、周波数が１／２倍となる。切替回路４はＣＰＵ３からの水平同期信号が無ければ信号回路２０３からの水平同期信号２１を出力し、ＣＰＵ３からの水平同期信号があればＣＰＵ３で周波数変換された水平同期信号３１を出力する。こうしてディスプレイ装置に水平上限周波数範囲外信号が入力されても水平偏向回路５に入力される水平同期信号４１は必ず周波数範囲内となる。
【００１３】
またこのように周波数変換したことにより、周波数変換した水平同期信号３１の１周期の間に入力される画像データ１２は２周期分の映像が表示される。これを防ぐために遮断信号３３をＣＰＵ３が映像回路６に出力する。映像回路６は反転増幅回路と映像遮断回路にて構成されていて、反転増幅回路とは信号を増幅し極性を反転させる回路で、映像遮断回路とは”Ｌ”の信号が入力された場合は映像を出力し”Ｈ”の信号が入力された場合は映像を遮断する回路である。周波数変換した水平同期信号３１の１周期の内、入力された水平同期信号の１周期の間は表示を行うために遮断信号３３は”Ｌ”となる。その他は表示を行わないので遮断信号３３は”Ｈ”となる。以後、これを繰り返す。
【００１４】
このようにディスプレイ装置に水平上限周波数範囲外信号が入力されても周波数範囲内の水平同期信号に変換されるため回路の保護をし、かつ水平同期信号と画像データとは同期がとれているため認識可能な映像が表示される。
【００１５】
【発明の効果】
以上説明したように、本発明のディスプレイ装置によれば、水平上限周波数範囲外の入力があった場合でも画面の表示は水平ライン抜けとなるなどのイメージ映像に近いものになるが、容易に入力信号の変更を行える効果がある。
【図面の簡単な説明】
【図１】本発明の一実施の形態によるディスプレイ装置のブロック構成図である。
【図２】従来のディスプレイ装置のブロック構成図である。
【符号の説明】
１，１２  画像データ
２  信号回路
３  ＣＰＵ
４  切替回路
５  水平偏向回路
６  映像回路
７  ＣＲＴ
１１  水平同期信号
３１  周波数変換された水平同期信号
３３  遮断信号
３２  周波数情報信号
【図１】
0004028027.tif 000002
【図２】
0004028027.tif 000003